【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
開口端を含む飲み物カップ用の飲料通過蓋であって、
底縁および内部玉縁封止部を含む周縁を備え、前記飲み物カップの前記開口端に封止して係合する大きさおよび形状とされた基部と、
前記基部から上向きに延在する外装部、外側唇部、および、前記外側唇部から下方端部へと下向きに傾斜する内側部を含む中空隆起唇部と、
前記下方端部に隣接する周辺側から延在する床を含み、前記外側唇部の下方に配置された飲料泉基部と、
前記中空隆起唇部の前記内側部へと上向きに延在する第１の縁壁によって、および、前記周辺側に近接して前記飲料泉基部の出口部に沿って延在する細長い第２の縁壁によって定められ、少なくとも一部において、約４０度（約４０°）から約９０度（約９０°）までの範囲の角度アルファ（α）で前記細長い第２の縁壁から実質的に延在する第１の面に沿うかのように配向された少なくとも１つの飲料出口と
を備える飲料通過蓋。
【請求項２】
前記少なくとも１つの飲料出口は、少なくとも一部において、前記飲料泉基部の前記出口部から外向きに延在する第２の面に沿うかのように配向される、請求項１に記載の飲料通過蓋。
【請求項３】
前記少なくとも１つの飲料出口の前記細長い第２の縁壁、および、前記飲料泉基部の前記出口部は、幅Ｗ１に沿って接触しており、
前記幅Ｗ１は、約５０パーセント（約５０％）の加減範囲において約２．５４ｃｍ（約１インチ）であり、
前記少なくとも１つの飲料出口の前記細長い第２の縁壁は、外向きに弓形に曲げられた形状で提供され、
前記少なくとも１つの飲料出口は、Ｎが正の整数であるＯ１からＯＮまでの複数の一連の飲料出口のうち複数の飲料出口を含み、
Ｎが正の整数であるＯ１からＯＮまでの前記一連の飲料出口における前記少なくとも１つの飲料出口の各々と関連して、前記幅Ｗ１は、ｎが正の整数である複数の区分の幅ＷｉからＷｎまでを含む、
請求項２に記載の飲料通過蓋。
【請求項４】
前記中空隆起唇部の前記内側部は、前記外側唇部から前記下方端部に向かって内向きに傾斜する、請求項１に記載の飲料通過蓋。
【請求項５】
開口端部の飲み物カップと共に、前記飲み物カップの前記開口端は玉縁によって囲まれ、前記飲料通過蓋の前記内部玉縁封止部は、前記玉縁に封止してしっかりと係合する大きさおよび形状とされる、請求項１に記載の飲料通過蓋。
【請求項６】
前記角度アルファ（α）は、約５０度（約５０°）から約７０度（約７０°）までの範囲にある、請求項１に記載の飲料通過蓋。
【請求項７】
前記中空隆起唇部の前記内側部は、約７０度（約７０°）から約８５度（約８５°）までの範囲の角度ベータ（β）で下向きかつ内向きに傾斜する、請求項１に記載の飲料通過蓋。
【請求項８】
前記周縁は外側縁を備え、前記飲料通過口の前記細長い第２の縁壁は、前記周縁の前記外側縁の接線から距離Ｌ１の線に沿って定められ、前記周縁の外側縁の前記接線は、前記飲料出口に対して中心に置かれた反対の端を含む線に直角である、請求項１に記載の飲料通過蓋。
【請求項９】
前記飲料出口の前記第１の面は、前記飲料通過蓋を利用する飲み物カップが鉛直位置から回転されるときに前記飲料出口が液体で素早く満たされるように、前記内部玉縁封止部から離間されるが前記内部玉縁封止部に隣接される、請求項１に記載の飲料通過蓋。
【請求項１０】
前記飲料出口の径方向最外縁ＲＯが、前記内部玉縁封止部において基準平面ＰＲから約０．７６２ｃｍ（１インチの約１０分の３、約０．３インチ）以下の距離Ｓである、請求項９に記載の飲料通過蓋。
【請求項１１】
前記隆起した中空隆起唇部の前記外側唇部の高さＨが、前記少なくとも１つの飲料出口の径方向最内縁ＲＩの上方に、約１．０２ｃｍ（１インチの約１０分の４、約０．４インチ）から約２．２９ｃｍ（１インチの約１０分の９、約０．９インチ）までの範囲にある、請求項１に記載の飲料通過蓋。
【請求項１２】
前記中空隆起唇部の前記内側部の鉛直表面距離Ｖが、約０．６１ｃｍ（約０．２４インチ）から約１．７５３ｃｍ（約０．６９インチ）までの範囲にある、請求項１に記載の飲料通過蓋。
【請求項１３】
前記１つまたは複数の飲料出口は、約０．３８７平方センチメートル（約０．０６平方インチ）から約１．６１３平方センチメートル（約０．２５平方インチ）までの範囲の全開口面積を定める、請求項１に記載の飲料通過蓋。
【請求項１４】
前記１つまたは複数の飲料出口は、約０．８３８７平方センチメートル（約０．１３平方インチ）から約１．２９０３平方センチメートル（約０．２平方インチ）までの範囲の全開口面積を定める、請求項１に記載の飲料通過蓋。
【請求項１５】
前記飲料泉基部は、選択された液体体積ＬＶを収容する大きさおよび形状とされる、請求項１に記載の飲料通過蓋。
【請求項１６】
前記液体体積ＬＶは、約４．７３ミリリットル（約０．１６液量オンス）以上である、請求項１５に記載の飲料通過蓋。
【請求項１７】
少なくとも０．３８７０平方センチメートル（０．０６平方インチ）の全面積が、前記内部玉縁封止部に配置された基準平面ＰＲから径方向内向きに１．２７ｃｍ（０．５インチ）以内で、前記１つまたは複数の飲料出口に提供される、請求項１に記載の飲料通過蓋。
【請求項１８】
前記１つまたは複数の飲料出口のすべてによって提供される全開口面積が、前記内部玉縁封止部に配置された基準平面ＰＲと前記基準平面ＰＲから径方向内向きに１．２７ｃｍ（０．５インチ）以内の位置との間に配置される、請求項１に記載の飲料通過蓋。
【請求項１９】
前記１つまたは複数の飲料出口の少なくとも一部の開口面積が、前記内部玉縁封止部に配置された基準平面ＰＲと前記基準平面ＰＲから径方向内向きに１．０１６ｃｍ（０．４インチ）以内の位置との間に配置される、請求項１に記載の飲料通過蓋。
【請求項２０】
円形開口を含む飲み物カップ用の請求項１に記載の飲料通過蓋であって、
内部玉縁封止部を含む周縁を備え、前記飲み物カップの前記円形開口に封止して係合する大きさおよび形状とされた基部と、
前記基部から上向きに延在する外装部、外側唇部、および、前記外側唇部における上方端部から下方端部へと下向きに傾斜する内側部を含む中空隆起唇部と、
前記下方端部のうちの少なくとも一部から内向きに延在する床を含む飲料泉基部であって、前記床の下位置が、前記外側唇部の下方に高さＨで配置された液体ドレンを提供する飲料泉基部と、
前記中空隆起唇部の前記内側部へと上向きに延在する第１の縁壁によって、および、前記飲料泉基部の出口部に沿って延在する細長い第２の縁壁によって定められ、少なくとも一部において、約４０度（約４０°）から約９０度（約９０°）までの範囲の平均角度アルファ（α）で前記第１の縁壁から延在する第１の面に沿うかのように配向された少なくとも１つの飲料出口と
を備える飲料通過蓋。
【請求項２１】
円形開口を含む飲み物カップ用の請求項１に記載の飲料通過蓋であって、
内部玉縁封止部を含む周縁を備え、前記飲み物カップの前記円形開口に封止して係合する大きさおよび形状とされた基部と、
前記基部から上向きに延在する外装部、外側唇部、および、前記外側唇部における上方端部から下方端部へと下向きに傾斜する内側部を含む中空隆起唇部と、
前記下方端部のうちの少なくとも一部から内向きに延在する床を含む飲料泉基部であって、前記床の下位置が、前記外側唇部の下方に、約１．０１６ｃｍ（１インチの約１０分の４、約０．４インチ）から約２．２８６ｃｍ（１インチの約１０分の９、約０．９インチ）までの範囲にある高さＨで配置された液体ドレンを提供する飲料泉基部と、
前記中空隆起唇部の前記内側部へと上向きに延在する第１の縁壁によって、および、前記飲料泉基部の出口部に沿って延在する細長い第２の縁壁によって定められ、少なくとも一部において、約４０度（約４０°）から約９０度（約９０°）までの範囲の平均角度アルファ（α）で前記第１の縁壁から延在する第１の面に沿うかのように配向され、前記内部玉縁封止部に配置された基準面ＰＲから径方向内向きに１．２７ｃｍ（０．５インチ）以内で、少なくとも０．３２２６平方センチメートル（０．０５平方インチ）の開口面積を有する少なくとも１つの飲料出口であって、前記少なくとも１つの飲料出口の前記第１の縁壁が、前記外側唇部から少なくとも１．０１６ｃｍ（０．４インチ）の距離Ｖに配置される少なくとも１つの飲料出口と
を備える飲料通過蓋。
【請求項２２】
開口を含む飲み物カップ用の請求項１に記載の飲料通過蓋であって、
内部玉縁封止部を含む周縁を備え、前記飲み物カップの前記開口に封止して係合する大きさおよび形状とされた基部と、
前記基部から上向きに延在する外装部、外側唇部、および、前記外側唇部における上方端部から下方端部へと下向きに傾斜する内側部を含む中空隆起唇部と、
前記下方端部のうちの少なくとも一部から内向きに延在する床を含む飲料泉基部であって、前記床の下位置が、前記外側唇部の下方に、約１．０１６ｃｍ（１インチの約１０分の４、約０．４インチ）から約２．２９６ｃｍ（１インチの約１０分の９、約０．９インチ）までの範囲にある高さＨで配置された液体ドレンを提供する飲料泉基部と、
前記内部玉縁封止部に配置された基準平面ＰＲから径方向内向きに１．２７ｃｍ（０．５インチ）以内で、少なくとも０．３２２６平方センチメートル（０．０５平方インチ）の総開口面積を有する１つまたは複数の飲料出口と
を備える飲料通過蓋。
【請求項２３】
前記内部玉縁封止部に配置された基準平面ＰＲから径方向内向きに１．０１６ｃｍ（０．４インチ）以内で、少なくとも０．６４５２平方センチメートル（０．１０平方インチ）の総開口面積を有する１つまたは複数の飲料出口をさらに備える、請求項２２に記載の飲料通過蓋。
【手続補正２】
【補正対象書類名】明細書
【補正対象項目名】００５７
【補正方法】変更
【補正の内容】
【００５７】
[0083]多くの改良態様または変形態様が、上記の教示に鑑みて可能である。そのため、本発明に利用可能な保護は、ここで説明される特許請求の範囲、および、その法律上の均等物のみによって限定されるべきである。
本明細書に記載されている態様のいくつかは、下記の通りである。
（態様１）
開口端を含む飲み物カップ用の飲料通過蓋であって、
底縁および内部玉縁封止部を含む周縁を備え、前記飲み物カップの前記開口端に封止して係合する大きさおよび形状とされた基部と、
前記基部から上向きに延在する外装部、外側唇部、および、前記外側唇部から下方端部へと下向きに傾斜する内側部を含む中空隆起唇部と、
前記下方端部に隣接する周辺側から延在する床を含み、前記外側唇部の下方に配置された飲料泉基部と、
前記中空隆起唇部の前記内側部へと上向きに延在する第１の縁壁によって、および、前記周辺側に近接して前記飲料泉基部の出口部に沿って延在する細長い第２の縁壁によって定められ、少なくとも一部において、約４０度（約４０°）から約９０度（約９０°）までの範囲の角度アルファ（α）で前記細長い第２の縁壁から実質的に延在する第１の面に沿うかのように配向された少なくとも１つの飲料出口と
を備える飲料通過蓋。
（態様２）
前記少なくとも１つの飲料出口は、少なくとも一部において、前記飲料泉基部の前記出口部から外向きに延在する第２の面に沿うかのように配向される、態様１に記載の飲料通過蓋。
（態様３）
前記少なくとも１つの飲料出口の前記細長い第２の縁壁、および、前記飲料泉基部の前記出口部は、幅Ｗ１に沿って接触している、態様２に記載の飲料通過蓋。
（態様４）
前記幅Ｗ１は、約５０パーセント（約５０％）の加減範囲において約２．５４ｃｍ（約１インチ）である、態様３に記載の飲料通過蓋。
（態様５）
前記少なくとも１つの飲料出口の前記細長い第２の縁壁は、外向きに弓形に曲げられた形状で提供される、態様３に記載の飲料通過蓋。
（態様６）
前記少なくとも１つの飲料出口は、Ｎが正の整数であるＯ１からＯＮまでの複数の一連の飲料出口のうち複数の飲料出口を含む、態様３に記載の飲料通過蓋。
（態様７）
Ｎが正の整数であるＯ１からＯＮまでの前記一連の飲料出口における前記少なくとも１つの飲料出口の各々と関連して、前記幅Ｗ１は、ｎが正の整数である複数の区分の幅ＷｉからＷｎまでを含む、態様６に記載の飲料通過蓋。
（態様８）
前記中空隆起唇部の前記内側部は、前記外側唇部から前記下方端部に向かって内向きに傾斜する、態様１に記載の飲料通過蓋。
（態様９）
前記飲み物カップの前記開口端は玉縁によって囲まれ、前記飲料通過蓋の前記内部玉縁封止部は、前記玉縁に封止してしっかりと係合する大きさおよび形状とされる、態様１に記載の飲料通過蓋。
（態様１０）
前記角度アルファ（α）は、約５０度（約５０°）から約７０度（約７０°）までの範囲にある、態様１に記載の飲料通過蓋。
（態様１１）
前記中空隆起唇部の前記内側部は、約７０度（約７０°）から約８５度（約８５°）までの範囲の角度ベータ（β）で下向きかつ内向きに傾斜する、態様１に記載の飲料通過蓋。
（態様１２）
前記周縁は外側縁を備え、前記飲料通過口の前記細長い第２の縁壁は、前記周縁の前記外側縁の接線から距離Ｌ１の線に沿って定められ、前記周縁の外側縁の前記接線は、前記飲料出口に対して中心に置かれた反対の端を含む線に直角である、態様１に記載の飲料通過蓋。
（態様１３）
前記飲料出口の前記第１の面は、前記飲料通過蓋を利用する飲み物カップが鉛直位置から回転されるときに前記飲料出口が液体で素早く満たされるように、前記内部玉縁封止部から離間されるが前記内部玉縁封止部に隣接される、態様１に記載の飲料通過蓋。
（態様１４）
前記飲料出口の径方向最外縁ＲＯが、前記内部玉縁封止部において基準平面ＰＲから約０．７６２ｃｍ（１インチの約１０分の３、約０．３インチ）以下の距離Ｓである、態様１３で定めた飲料通過蓋。
（態様１５）
前記隆起した中空隆起唇部の前記外側唇部の高さＨが、前記少なくとも１つの飲料出口の径方向最内縁ＲＩの上方に、約１．０２ｃｍ（１インチの約１０分の４、約０．４インチ）から約２．２９ｃｍ（１インチの約１０分の９、約０．９インチ）までの範囲にある、態様１に記載の飲料通過蓋。
（態様１６）
前記中空隆起唇部の前記内側部の鉛直表面距離Ｖが、約０．６１ｃｍ（約０．２４インチ）から約１．７５３ｃｍ（約０．６９インチ）までの範囲にある、態様１に記載の飲料通過蓋。
（態様１７）
前記１つまたは複数の飲料出口は、約０．３８７平方センチメートル（約０．０６平方インチ）から約１．６１３平方センチメートル（約０．２５平方インチ）までの範囲の全開口面積を定める、態様１に記載の飲料通過蓋。
（態様１８）
前記１つまたは複数の飲料出口は、約０．８３８７平方センチメートル（約０．１３平方インチ）から約１．２９０３平方センチメートル（約０．２平方インチ）までの範囲の全開口面積を定める、態様１に記載の飲料通過蓋。
（態様１９）
前記飲料泉基部は、選択された液体体積ＬＶを収容する大きさおよび形状とされる、態様１に記載の飲料通過蓋。
（態様２０）
前記液体体積ＬＶは、約４．７３ミリリットル（約０．１６液量オンス）以上である、態様１９に記載の飲料通過蓋。
（態様２１）
前記内部玉縁封止部は玉縁中心線に沿って配置され、前記飲料泉基部の前記周辺側は、前記内部玉縁封止部の前記玉縁中心線の周りに鉛直に配置される、態様１に記載の飲料通過蓋。
（態様２２）
前記内部玉縁封止部は玉縁中心線に沿って配置され、前記飲料泉基部の前記周辺側は、前記内部玉縁封止部の前記玉縁中心線の上方に鉛直に配置される、態様１に記載の飲料通過蓋。
（態様２３）
前記飲料出口の前記第１の縁壁は弓形の形状とされる、態様１に記載の飲料通過蓋。
（態様２４）
前記飲料通過蓋は熱可塑性プラスチック材料を含む、態様１に記載の飲料通過蓋。
（態様２５）
少なくとも０．３８７０平方センチメートル（０．０６平方インチ）の全面積が、前記内部玉縁封止部に配置された基準平面ＰＲから径方向内向きに１．２７ｃｍ（０．５インチ）以内で、前記１つまたは複数の飲料出口に提供される、態様１に記載の飲料通過蓋。
（態様２６）
前記１つまたは複数の飲料出口のすべてによって提供される全開口面積が、前記内部玉縁封止部に配置された基準平面ＰＲと前記基準平面ＰＲから径方向内向きに１．２７ｃｍ（０．５インチ）以内の位置との間に配置される、態様１に記載の飲料通過蓋。
（態様２７）
前記１つまたは複数の飲料出口の少なくとも一部の開口面積が、前記内部玉縁封止部に配置された基準平面ＰＲと前記基準平面ＰＲから径方向内向きに１．０１６ｃｍ（０．４インチ）以内の位置との間に配置される、態様１に記載の飲料通過蓋。
（態様２８）
前記基部から上向きであって第１の側壁端と第２の側壁端との間で弓形に延在する隆起側壁と、上方端および下方端を備え、前記第１の側壁端から前記第２の側壁端へと前記蓋をわたって延在する内部蒸気ドーム壁と、前記隆起側壁と前記上方端との間で延在する蒸気ドーム面とを備える蒸気ドームをさらに備える、態様１に記載の飲料通過蓋。
（態様２９）
前記蒸気ドーム面は、１つまたは複数の蒸気案内通路を内部に備える少なくとも１つの蒸気通気泉をさらに備える、態様２８に記載の飲料通過蓋。
（態様３０）
前記１つまたは複数の蒸気案内通路のうちの少なくとも１つは、前記内部玉縁封止部の中心線に沿う平面に対して主に水平である方向に蒸気を最初に噴出するように配向される、態様２９に記載の飲料通過蓋。
（態様３１）
前記飲料通過蓋をわたって延在する下向き延在溝槽形状壁と、
前記基部に対して部分的翼弦線に沿って形成され、第１の端と第２の端との間に、前記下向き延在溝槽形状壁によって形成された第１の縁および第２の縁に沿って設けられた長さＬＳのスリットと
をさらに備える、態様１に記載の飲料通過蓋。
（態様３２）
前記下向き延在溝槽形状壁はＶ字形の壁を含む、態様３１に記載の飲料通過蓋。
（態様３３）
前記下向き延在溝槽形状壁を通る１つまたは複数の蒸気通路をさらに備える、態様３２に記載の飲料通過蓋。
（態様３４）
前記飲料通過蓋をわたって延在する下向き延在溝槽形状壁と、
第１の径方向延在部および第２の径方向延在部に沿って、かつ、前記下向き延在溝槽形状壁によって形成された第１の縁および第２の縁に沿って形成された、第１の端と第２の端との間で長さＬＳのスリットと、
前記第１の径方向延在部と前記第２の径方向延在部との間に配置され、前記第１の縁の第１の縁壁および前記第２の縁の第２の縁壁によって定められた開口であって、前記第１の縁壁が第１の通気部を定め、前記第２の縁壁が第２の通気部を定め、前記第１の通気部および前記第２の通気部が前記開口を定め、前記開口が前記蓋を通る蒸気の流れを可能にする開口と
をさらに備える、態様１に記載の飲料通過蓋。
（態様３５）
前記スリットを通じた下向きへの挿入に適合され、スリット長さＬＳを補完する全幅ＷＢを有する概して台形の形とされた構成で提供されたバッフルをさらに備える、態様３４に記載の飲料通過蓋。
（態様３６）
前記スリットは、前記第１の縁および前記第２の縁がそれらを通る液体の漏れを実質的に防ぐために合わさって圧迫される第１の安定状態と、前記第１の縁および前記第２の縁が液体の漏れを実質的に防ぐために前記バッフルに向かって圧迫される第２の安定状態とを形成する、態様３５に記載の飲料通過蓋。
（態様３７）
前記バッフルは下方端を備え、前記下方端は、前記飲み物カップとの組み合わせで液体通路を定める上向きに延在する下方バッフル壁を備える、態様３６に記載の飲料通過蓋。
（態様３８）
概して円錐台形の形の内側側壁を備える飲み物容器と使用するためのものであり、前記バッフルは、前記内側側壁と封止係合するために、形が相補的で大きさが定められた第１の側および第２の側を備える、態様３６に記載の飲料通過蓋。
（態様３９）
前記バッフルは、前記飲み物カップを少なくとも第１の室と第２の室とに事実上分割し、前記飲み物容器の液体を前記第１の室と前記第２の室との間で自由に流すことができる形状および位置付けとされ、前記スリットにおいて前記飲料通過蓋によって事実上封止され、かつ、前記飲料通過蓋と前記飲み物カップの液体との間にある前記第１の室内の蒸気が前記第２の室へと流れるのを防止するように位置付けられる、態様３８に記載の飲料通過蓋。
（態様４０）
前記飲料通過蓋は、前記第１の室および前記第２の室の各々と関連して、（ａ）前記少なくとも１つの蒸気案内通路、または、（ｂ）前記少なくとも１つの蒸気通路のうちの１つまたは複数を備える、態様３９に記載の飲料通過蓋。
（態様４１）
前記飲み物カップが液体を収容し、液体を前記飲料出口から流出させるために傾けられるとき、前記第１の室内の蒸気は前記少なくとも１つの蒸気通路のうちの１つまたは複数から強制的に出される一方、前記飲み物カップの外側の空気は、前記少なくとも１つの蒸気案内通路のうちの１つまたは複数を通じて前記第２の室へと同時に引き込まれるように、前記蒸気案内通路および前記蒸気通路は前記バッフルのいずれかの側に配置される、態様４０に記載の飲料通過蓋。
（態様４２）
円形開口を含む飲み物カップ用の飲料通過蓋であって、
内部玉縁封止部を含む周縁を備え、前記飲み物カップの前記円形開口に封止して係合する大きさおよび形状とされた基部と、
前記基部から上向きに延在する外装部、外側唇部、および、前記外側唇部における上方端部から下方端部へと下向きに傾斜する内側部を含む中空隆起唇部と、
前記下方端部のうちの少なくとも一部から内向きに延在する床を含む飲料泉基部であって、前記床の下位置が、前記外側唇部の下方に高さＨで配置された液体ドレンを提供する飲料泉基部と、
前記中空隆起唇部の前記内側部へと上向きに延在する第１の縁壁によって、および、前記飲料泉基部の出口部に沿って延在する細長い第２の縁壁によって定められ、少なくとも一部において、約４０度（約４０°）から約９０度（約９０°）までの範囲の平均角度アルファ（α）で前記第１の縁壁から延在する第１の面に沿うかのように配向された少なくとも１つの飲料出口と
を備える飲料通過蓋。
（態様４３）
前記高さＨは、約１．０１６ｃｍ（１インチの約１０分の４、約０．４インチ）から約２．２８６ｃｍ（１インチの約１０分の９、約０．９インチ）までの範囲にある、態様４２に記載の飲料通過蓋。
（態様４４）
前記中空隆起唇部の前記内側部は、約７０度（約７０°）から約９０度（約９０°）までの範囲の角度ベータ（β）で下向きかつ内向きに傾斜する、態様４３に記載の飲料通過蓋。
（態様４５）
前記第１の面は平面を含む、態様４３に記載の飲料通過蓋。
（態様４６）
前記少なくとも１つの飲料出口は、少なくとも一部において、前記飲料泉基部の前記床から外向きに延在する第２の面に沿って配向される、態様４３に記載の飲料通過蓋。
（態様４７）
前記第２の面は平面を含む、態様４６に記載の飲料通過蓋。
（態様４８）
前記飲料泉基部の前記床は、少なくとも一部において、径方向外向きの方向において下向きに傾斜する、態様１または４２に記載の飲料通過蓋。
（態様４９）
前記角度アルファ（α）は、約５０度（約５０°）から約７０度（約７０°）までの範囲にある、態様４２に記載の飲料通過蓋。
（態様５０）
前記角度アルファ（α）は約６０度（約６０°）である、態様４２に記載の飲料通過蓋。
（態様５１）
円形開口を含む飲み物カップ用の飲料通過蓋であって、
内部玉縁封止部を含む周縁を備え、前記飲み物カップの前記円形開口に封止して係合する大きさおよび形状とされた基部と、
前記基部から上向きに延在する外装部、外側唇部、および、前記外側唇部における上方端部から下方端部へと下向きに傾斜する内側部を含む中空隆起唇部と、
前記下方端部のうちの少なくとも一部から内向きに延在する床を含む飲料泉基部であって、前記床の下位置が、前記外側唇部の下方に、約１．０１６ｃｍ（１インチの約１０分の４、約０．４インチ）から約２．２８６ｃｍ（１インチの約１０分の９、約０．９インチ）までの範囲にある高さＨで配置された液体ドレンを提供する飲料泉基部と、
前記中空隆起唇部の前記内側部へと上向きに延在する第１の縁壁によって、および、前記飲料泉基部の出口部に沿って延在する細長い第２の縁壁によって定められ、少なくとも一部において、約４０度（約４０°）から約９０度（約９０°）までの範囲の平均角度アルファ（α）で前記第１の縁壁から延在する第１の面に沿うかのように配向され、前記内部玉縁封止部に配置された基準面ＰＲから径方向内向きに１．２７ｃｍ（０．５インチ）以内で、少なくとも０．３２２６平方センチメートル（０．０５平方インチ）の開口面積を有する少なくとも１つの飲料出口であって、前記少なくとも１つの飲料出口の前記第１の縁壁が、前記外側唇部から少なくとも１．０１６ｃｍ（０．４インチ）の距離Ｖに配置される少なくとも１つの飲料出口と
を備える飲料通過蓋。
（態様５２）
前記飲料通過蓋をわたって延在する下向き延在Ｖ字形壁と、
前記基部に対して部分的翼弦線に沿って形成され、第１の端と第２の端との間に、前記Ｖ字形壁によって形成された第１の縁および第２の縁に沿って設けられた長さＬＳのスリットと
をさらに備える、態様４２または５１に記載の飲料通過蓋。
（態様５３）
前記Ｖ字形壁を通る１つまたは複数の蒸気通路をさらに備える、態様５２に記載の飲料通過蓋。
（態様５４）
前記１つまたは複数の蒸気通路のうちの少なくとも１つは、前記内部玉縁封止部の中心線に沿う平面に対して主に水平である方向に蒸気を最初に噴出するように配向される、態様５３に記載の飲料通過蓋。
（態様５５）
開口を含む飲み物カップ用の飲料通過蓋であって、
内部玉縁封止部を含む周縁を備え、前記飲み物カップの前記開口に封止して係合する大きさおよび形状とされた基部と、
前記基部から上向きに延在する外装部、外側唇部、および、前記外側唇部における上方端部から下方端部へと下向きに傾斜する内側部を含む中空隆起唇部と、
前記下方端部のうちの少なくとも一部から内向きに延在する床を含む飲料泉基部であって、前記床の下位置が、前記外側唇部の下方に、約１．０１６ｃｍ（１インチの約１０分の４、約０．４インチ）から約２．２９６ｃｍ（１インチの約１０分の９、約０．９インチ）までの範囲にある高さＨで配置された液体ドレンを提供する飲料泉基部と、
前記内部玉縁封止部に配置された基準平面ＰＲから径方向内向きに１．２７ｃｍ（０．５インチ）以内で、少なくとも０．３２２６平方センチメートル（０．０５平方インチ）の総開口面積を有する１つまたは複数の飲料出口と
を備える飲料通過蓋。
（態様５６）
前記内部玉縁封止部に配置された基準平面ＰＲから径方向内向きに１．０１６ｃｍ（０．４インチ）以内で、少なくとも０．６４５２平方センチメートル（０．１０平方インチ）の総開口面積を有する１つまたは複数の飲料出口をさらに備える、態様５５に記載の飲料通過蓋。